(57)【要約】【課題】緯糸の飛走状態が安定する案内溝にすることにある。【解決手段】製織用筬は、それぞれが緯糸案内用の凹欠部を有する複数の筬羽を、緯糸の案内溝を形成すべく凹欠部が互いに連通するように配置した製織用筬において、緯入れ方向下流側の端部に位置する複数の筬羽の凹欠部の上下間寸法は、緯入れ方向下流側の端部と緯入れ方向上流側の端部との間の中間部に位置する筬羽の凹欠部の上下間寸法より小さくされている。当該筬は１枚筬として、又は、複数の分割筬の少なくとも１つとして形成されている。【選択図】          図１
2004197280.tif 000002
【特許請求の範囲】
【請求項１】
それぞれが緯糸案内用の凹欠部を有する複数の筬羽を、緯糸の案内溝を形成すべく前記凹欠部が互いに連通するように配置した製織用筬において、
緯入れ方向下流側の端部に位置する複数の筬羽の凹欠部の上下間寸法は、前記緯入れ方向下流側の端部と緯入れ方向上流側の端部との間の中間部に位置する筬羽の前記凹欠部の上下間寸法より小さくされている、製織用筬。
【請求項２】
前記緯入れ方向下流側の端部に位置する複数の筬羽の凹欠部の上下間寸法は、前記中間部に位置する筬羽に向けて漸次大きくされて、前記中間部に位置する筬羽の前記凹欠部の上下間寸法に近づけられている、請求項１に記載の筬。
【請求項３】
前記緯入れ方向下流側の端部に位置する複数の筬羽の凹欠部の上下間寸法は、前記中間部に位置する筬羽に向けて段階的に大きくされて、前記中間部に位置する筬羽の前記凹欠部の上下間寸法に近づけられている、請求項１に記載の筬。
【請求項４】
当該筬は１枚筬として形成されている、請求項１から３のいずれか１項に記載の筬。
【請求項５】
当該筬は、複数の分割筬の少なくとも１つとして形成されている、請求項１から３のいずれか１項に記載の筬。
【請求項６】
前記緯入れ方向下流側の端部に位置する、凹欠部の上下間寸法が前記中間部に位置する筬羽の前記凹欠部の上下間寸法より小さい筬羽は、前記緯入れ方向上流側の分割筬に配置され、
また前記緯入れ方向下流側の分割筬の前記緯入れ方向上流側の端部に位置する複数の筬羽の凹欠部の上下間寸法は、前記中間部に位置する筬羽に向けて斬減されて、前記中間部に位置する筬羽の前記凹欠部の上下間寸法に近づけられている、請求項５に記載の筬。
【請求項７】
前記緯入れ方向下流側の端部に位置する筬羽は、織幅の外側に配置されている、請求項１から６のいずれか１項に記載の筬。
【発明の詳細な説明】
【０００１】
【発明の属する技術分野】
本発明は、織機に用いられる分割筬や１枚筬のような製織用筬に関する。
【０００２】
【従来の技術】
織機は、複数の経糸を複数の経糸群に分け、それらの経糸群毎に開口装置により上下動させることにより経糸開口を形成し、その経糸開口に緯糸を飛走させた後にその緯糸を、複数の筬羽を含む製織用筬で筬打ちを行う工程を繰り返すことにより織物を生産する。
【０００３】
空気噴射式の織機においては、一般に、筬は、複数の筬羽を凹欠部が互いに連通して緯糸の案内溝を形成するように互いに組み合わせることにより、形成される。
【０００４】
緯糸は、サブノズルからリレー噴射される圧縮流体を受けながら分割筬の案内溝内（上面と下面との間）を蛇行しながら飛走する。そして、緯糸は、緯入れ方向上流側の分割筬の緯入れ方向下流から緯入れ方向下流側の分割筬に向けて飛び出す。このとき、上流側の分割筬から飛び出す緯糸の飛走方向は、案内溝の上面及び下面の間でばらつく。
【０００５】
さらに、タックイン装置等を配置するための、上流側の分割筬と下流側の分割筬とが間隔をおいていることから、緯糸の飛走方向はばらつきやすくなる。
【０００６】
したがって、上流側の分割筬からの緯糸が下流側の分割筬の案内溝に入りやすいようにする必要がある。そのような技術の１つとして、案内溝の上下間寸法を緯入れ方向上流側ほど大きくする技術がある（例えば、特許文献１）。
【０００７】
【特許文献１】
特開平２−２６９８３３号公報（第５図、第３頁右上欄２０行〜第３頁左下欄５行）
【０００８】
【解決しようとする課題】
しかし、特許文献１に記載の技術では、ドウェルが小さい（揺動範囲の両端での停止時間が短い）筬打ち方式では、移動する筬と固定筬との間を緯糸が飛走する際に、移動する範囲での互いの筬の緯糸案内通路がずれているため、緯入れ不良を起こしやすい。
【０００９】
本発明の目的は、分割筬間の緯糸の飛走状態が安定する案内溝にすることにある。
【００１０】
【解決手段、作用、効果】
本発明に係る筬は、複数の筬羽を共通の上部及び下部の口金（固定部材）に組み付けたいわゆる１枚筬に適用してもよいし、それぞれが複数の筬羽を上部及び下部の口金に組み付けたいわゆる分割筬に適用してもよい。
【００１１】
上記いずれの筬も、それぞれが緯糸案内用の凹欠部を有する複数の筬羽を、緯糸の案内溝を形成すべく前記凹欠部が互いに連通するように配置した製織用筬において、緯入れ方向下流側の端部に位置する複数の筬羽の凹欠部の上下間寸法は、前記緯入れ方向下流側の端部と緯入れ方向上流側の端部との間の中間部に位置する筬羽の前記凹欠部の上下間寸法より小さくされている。
【００１２】
前記緯入れ方向下流側の端部に位置する複数の筬羽の凹欠部の上下間寸法は、前記中間部に位置する筬羽に向けて、漸次大きくされて又は段階的に大きくされて、前記中間部に位置する筬羽の前記凹欠部の上下間寸法に近づけられるようにすることができる。
【００１３】
上記のいずれの筬も、緯入れ下流側の端部に位置する筬羽の凹欠部の上下間寸法が、中央部に位置する筬羽の凹欠部の上下間寸法より小さいことから、緯入れ方向下流側の端部に位置する複数の筬羽の凹欠部に流れる圧縮流体の収束性が向上し、緯糸の飛走状態が安定する。
【００１４】
上記筬を分割筬に適用する場合、前記緯入れ方向下流側の端部に位置する、凹欠部の上下間寸法が前記中間部に位置する筬羽の前記凹欠部の上下間寸法より小さい筬羽は、前記緯入れ方向上流側の分割筬に配置することができ、また緯入れ方向下流側の筬の前記緯入れ方向上流側の端部に位置する複数の筬羽の凹欠部の上下間寸法は、前記中間部側に位置する筬羽に向けて斬減されて、前記中間部に位置する筬羽の前記凹欠部の上下間寸法に近づけることができる。そのようにすることにより、緯入れ方向下流に配置される筬の案内溝に緯糸を確実に受け渡しをすることができ、緯入れ不良を防止することができる。
【００１５】
上記筬を１枚筬及び分割筬に適用する場合、詳細には、織機に備えられた１枚筬及び複数の分割筬に適用する場合、前記緯入れ方向下流側の端部に位置する筬羽は、織幅の外側に配置してもよい。そのようにすることにより、織幅の外側には経糸が配置されていないことから、緯入れ方向下流側の端部に位置する複数の筬羽の凹欠部が経糸に引っかかることを防止することができる。
【００１６】
複数の前記筬羽は前縁部及び後縁部を含み、前記緯入れ方向下流側の端部に位置する筬羽の凹欠部の上下間寸法は前記前縁部側の凹欠部より前記後縁部側の凹欠部が大きいくすることができる。そのようにすることにより、案内溝内を流れる圧縮流体が案内溝の開口部から拡散する量を低減させることができる。これにより、効率よく緯糸を飛走させることができる。
【００１７】
【発明の実施の形態】
図１から図３を参照するに、製織用の筬１０は、複数の分割筬で構成されており、詳細には、１幅目の分割筬１２と、２幅目の分割筬１４と、３幅目（最終幅）の分割筬１６とを緯入れ方向（左右方向）に間隔をおいて直列的に空気噴射式織機に配置している。
【００１８】
図１に示すように、緯糸１８は圧縮流体と共に緯入れノズル２０から噴出されて、経糸の開口に緯入れされる。本実施例では圧縮流体として圧縮空気を適用しているが他の圧縮流体であってもよい。
【００１９】
分割筬１２，１４，１６の各々は、複数の筬羽２２を緯入れ方向に間隔をおいて互いに平行に配置しており、また複数の筬羽２２に形成された凹欠部２４により緯糸１８の案内溝２６を形成している。
【００２０】
案内溝２６は、後述するように、緯入れ方向上流側及び下流側の端部の範囲２８及び３０に位置する複数の筬羽２２の凹欠部２４でそれぞれ形成される上流案内溝部及び下流案内溝部と、緯入れ方向下流側の端部と緯入れ方向上流側の端部との間の中間部の範囲３２に位置する複数の筬羽２２の凹欠部２４で形成される中間案内溝部とを含む。
【００２１】
図２に示すように、各分割筬１２，１４，１６の筬羽２２は、上下方向に長くかつ略一定の厚さ寸法を有する帯板状に形成されている。各筬羽２２は、上端部及び下端部３４及び３４を丸くされている。各筬羽２２は、織前側とされる前縁部３６と、反織前側とされる後縁部３８とを有している。
【００２２】
各筬羽２２は、前縁部３６の略中央に突出部４０を有しており、その突出部４０に凹欠部２４を有している。
【００２３】
各凹欠部２４は、上下面４２，４２と奥底部（奥底面）４４とにより、角部を丸くされたコ字状の形状を有している。上下面４２，４２の距離は、凹欠部２４の上下間寸法Ｌとされる。
【００２４】
奥底部４４は、前後方向における前縁部３６の延長線上と略同じ位置とされている。また、各筬羽２２の後縁部３８は筬羽２２の上下方向全体にわたって直線状（すなわち、平坦）とされている。
【００２５】
図３及び図４は、分割筬１４を示す。分割筬１６は、分割筬１４と略同じ形状の案内溝２６を有する。分割筬１２は、後述する案内溝２６の形状以外は分割筬１４，１６と同様の形状の案内溝２６を有する。
【００２６】
以下、分割筬１４を示す図３及び図４を参照しながら、分割筬１２，１４及び１６について説明する。
【００２７】
分割筬１２，１４及び１６は、複数の筬羽２２と、それらの筬羽２２の上端部及び下端部３４及び３４を止めている上部及び下部の口金（取付部材）４６及び４８と、上部及び下部の口金４６，４８を連結している左右側部の口金（結合部材）５０及び５２とによって形成されている。各案内溝２６は、対応する複数の筬羽２２に形成された凹欠部２４を分割筬１２，１４，１６毎に連通させることによって形成されている。
【００２８】
各分割筬１２，１４，１６の複数の筬羽２２は、その厚さ方向を緯入れ方向とされかつ複数の凹欠部２４が整列して案内溝２６を形成するように、緯入れ方向に並列的に並べられた状態に、上端部及び下端部３４及び３４を、それぞれ、コの字状の断面形状を有する上部及び下部の口金４６及び４８の溝５４及び５６に挿入されている。
【００２９】
各分割筬１２，１４，１６において、範囲２８及び３０の上流案内溝部及び下流案内溝部を形成している複数の筬羽２２は、案内溝２６を形成するように、凹欠部２４の上下間寸法Ｌの大きい方が緯入れ方向上流側に、凹欠部２４の上下間寸法Ｌの小さい方が緯入れ方向下流側になるように挿入されている。
【００３０】
しかし、範囲３２の中間案内溝部を形成している複数の筬羽２２は、隣接する凹欠部２４の上下間寸法Ｌを同じとされている。
【００３１】
範囲２８及び３０の案内溝２６を形成する複数の筬羽２２の凹欠部２４の上下間寸法Ｌは、それぞれ、範囲３２側に位置する筬羽２２の凹欠部２４ほど漸次小さく及び漸次大きくされている。
【００３２】
換言すると、範囲２８及び３０の案内溝２６を形成する筬羽２２の凹欠部２４の上下間寸法Ｌは、それぞれ、範囲３２に最も近い筬羽２２の凹欠部２４の上下間寸法が範囲３２の案内溝２６に位置する筬羽２２の凹欠部２４の上下間寸法Ｌに最も近づけられるように、対応する分割筬１２，１４，１６の端部に位置する筬羽２２ほど、小さく及び大きくされている。
【００３３】
つまり範囲２８の端部に位置する凹欠部２４の上下間寸法は範囲３２に位置する凹欠部２４の上下間寸法より大きく、範囲３０の端部に位置する凹欠部２４の上下間寸法は範囲３２に位置する凹欠部２４の上下間寸法より小さい。
【００３４】
これにより、各分割筬１２，１４，１６の案内溝２６を形成する筬羽２２の凹欠部２４の上下間寸法Ｌは、緯入れ側から反緯入れ側に向けて、先ず緯入れ側において漸次小さくされ、次いで緯入れ方向における途中から一定にされ、その後再び漸次小さくされている。このように案内溝２６の幅方向（上下方向）は範囲２８及び３０においてテーパー形状にされている。
【００３５】
隣り合う筬羽２２の空間５８は、上下方向に間隔をおいて各分割筬１２，１４，１６に配置された一対のスペーサ６０により、経糸を通すための空間５８とされている。図示の例では、スペーサ６０は圧縮又は引張タイプのコイルばねである。コイルばね６０の各リング状部は隣り合う筬羽２２の間に位置されて、一定の空間５８を維持している。
【００３６】
分割筬１２，１４，１６は、複数の筬羽２２を上記のように上部及び下部の口金４６，４８に取り付けた状態で、親羽として作用する側部の口金５０及び５２を、それぞれ、緯入れ側及び反緯入れ側に差し込み、側部の口金５０及び５２を上部及び下部の口金４６及び４８にリベットや止めねじや接着剤等で取り付けることにより、組み立てられる。
【００３７】
側部の口金５０，５２の各々は、筬羽２２よりやや大きい厚さ寸法を有する帯状の板材の両端部を厚さ方向に曲げてコ字状に形成されており、また端部に位置する筬羽２２の凹欠部２４を閉塞しないように、上部及び下部の口金４６及び４８に取り付けられている。例えば、側部の口金５０及び５２は、それぞれ、緯入れ側端及び反緯入れ側端に位置する筬羽２２の後縁部３８から凹欠部２４までの寸法と略同じ幅寸法を有することができる。
【００３８】
上記のように組み立てられた製織用筬１０を形成する分割筬１２，１４，１６は、案内溝２６が経糸の存在する領域に位置すると共に、案内溝２６が互いに連通すると共に織布の織り前と対向するように、下部の口金４８においてアーム（図示せず）に取り付けられた筬スレー（図示せず）に直列的に組み付けられる。
【００３９】
上記のように各分割筬１２，１４の案内溝２６の上下間寸法Ｌが緯入れ側から反緯入れ側に向けて漸次小さくされていると、緯糸１８の飛走が安定し、下流側に位置する分割筬１４，１６やキャッチャーへの緯糸１８の飛走状態が安定する。
【００４０】
特に、範囲３０の下流案内溝部において、最も緯入れ方向下流に位置する筬羽２２の凹欠部２４の上下間寸法Ｌが最小にされているから、分割筬１２，１４から飛び出す緯糸１８の上下方向のバラツキは小さい。これにより、さらに、下流に配置されている分割筬１４，１６への緯糸１８の飛走状態が安定する。
【００４１】
図２及び図３を参照して分割筬１４の説明をしたが、分割筬１２，１６も分割筬１４と同様の案内溝２６の形状を有する。
【００４２】
分割筬１２，１４，１６は、いずれも上記した形状を有することができるが、他の形状、例えば図５及び図６に示す形状を有していてもよい。
【００４３】
図５（Ａ）を参照するに、分割筬６２において、範囲３０の下流案内溝部を形成する複数の筬羽２２の凹欠部２４の上下間寸法Ｌは、範囲３２の中間案内溝部を形成する筬羽２２の凹欠部２４の上下間寸法Ｌより小さく、かつ、一定の値とされている。
【００４４】
図５（Ｂ）を参照するに、分割筬６４において、範囲３０の下流案内溝部は、それを形成する筬羽２２の凹欠部２４の上下間寸法Ｌが、図４（Ｂ）に示す範囲３０の下流案内溝部のように漸減する範囲と、図５（Ａ）に示す範囲３０の下流案内溝部のように一定の範囲とされている形状を有する。
【００４５】
図５（Ｃ）を参照するに、分割筬６６において、範囲３０の下流案内溝部は、筬羽２２の凹欠部２４の上下間寸法Ｌが小さくされた階段形状（段階的に小さくなる形状）を有している。
【００４６】
図６を参照するに、範囲３０の下流案内溝部を形成する複数の筬羽２２は、緯入れ方向下流側の端部に位置する筬羽２２の凹欠部２４は、後縁部３８側の凹欠部２４の上下間寸法Ａが前縁部３６側の凹欠部２４の上下間寸法Ｂより大きい形状を有している。
【００４７】
そのようにすることにより、範囲３０の下流案内溝部内を流れる圧縮流体が範囲３０の下流案内溝部の開口部から拡散する量を低減させることができる。これにより、緯糸１８を効率よく飛走させることができる。
【００４８】
また、図６の緯入れ方向からみた案内溝の形状は円形状でもよく、範囲３０には筬羽を配置するのではなく、ガイド部材として一体物で形成してもよい。
【００４９】
分割筬１２，１４及び１６のいずれかを１枚筬としてもよい。
【００５０】
また、織機には、緯入れ側が、左方側となる織機、右方となる織機、及び左右両側となる織機等がある。上記の実施例はいずれも、左方側から緯入れされる、換言すると、左方側が緯入れ方向上流となる織機に用いられる。
【００５１】
しかし、右方側から緯入れされる、換言すると、右方側が緯入れ方向上流となる織機に用いられる各分割筬の案内溝２６を形成する筬羽２２の凹欠部２４の上下間寸法Ｌは、緯入れ側（右方側）から反緯入れ側（左方側）に向けて漸次小さくされ、緯入れ方向（右側から左側）における途中から一定にされ、再び漸次小さくされる。
【００５２】
本発明は、上記実施例に限定されず、その趣旨を逸脱しない限り、種々変更することができる。
【図面の簡単な説明】
【図１】本発明に係る製織用筬の一実施例を示す概略図である。
【図２】図１に示す製織用筬の中間付近に位置する筬羽の概略側面図である。
【図３】図１に示す製織用筬で用いる筬羽のうち、緯入れ方向上流側に位置する筬羽の一実施例を示す図である。（Ａ）は概略側面図である。（Ｂ）は概略正面図である。
【図４】図１に示す製織用筬で用いる筬羽のうち、緯入れ方向下流側に位置する筬羽の一実施例を示す図である。（Ａ）は概略側面図である。（Ｂ）は概略正面図である。
【図５】（Ａ），（Ｂ）及び（Ｃ）は、本発明に係る製織用筬の別の実施例を示す、緯入れ方向下流側に位置する筬羽の概略正面図である。
【図６】本発明に係る製織用筬のさらに別の実施例を示す、緯入れ方向下流側に位置する筬羽の概略正面図である。
【符号の説明】
１０  製織用筬
１２，１４，１６，６２，６４，６６  分割筬
１８  緯糸
２０  緯入れノズル
２２  筬羽
２４  凹欠部
２６  案内溝
２８  上流案内溝部の範囲
３０  下流案内溝部の範囲
３２  中間案内溝部の範囲
３４  筬羽の先端部
３６  筬羽の前縁部
３８  筬羽の後縁部
４０  筬羽の突出部
４２  凹欠部の上下面
４４  凹欠部の奥底部
４６  上部の口金
４８  下部の口金
５０，５２  側部の口金
５４，５６  上部及び下部口金の溝
５８  空間
６０  スペーサ（コイルばね）
【図１】
2004197280.tif 000003
【図２】
2004197280.tif 000004
【図３】
2004197280.tif 000005
【図４】
2004197280.tif 000006
【図５】
2004197280.tif 000007
【図６】
2004197280.tif 000008